【事件の表示】
　特願２００５−２１２４７２「切り替え装置、並びに、その制御方法および制御プログラム」拒絶査定不服審判事件〔平成１９年　２月　８日出願公開、特開２００７−　３４３７６〕について、次のとおり審決する。
【結　論】
　本件審判の請求は、成り立たない。
【理　由】
第１　手続きの経緯
　本願は、平成１７年２月２２日の出願であって、平成２３年１月１８日付けで拒絶査定がなされたところ、これに対して同年４月７日に拒絶査定に対する審判請求がなされるとともに手続補正書が提出されたものである。
　
第２　補正却下の決定
　平成２３年４月７日に提出された手続補正書による補正の却下の決定
　　
（１）［補正却下の決定の結論］
　平成２３年４月７日に提出された手続補正書による補正（以下、「本件補正」という。）を却下する。
　　
（２）［補正却下の決定の理由］
（ａ）補正の内容
　本件補正によると、その特許請求の範囲の請求項１は、
「ローカル側に設けられたコンピュータを、ネットワークを介して遠隔操作側から操作可能とする切り替え装置であって、
　前記コンピュータが前記遠隔操作側から操作されているとき、該コンピュータの遠隔操作側からの操作を当該コンピュータが設けられた前記ローカル側に通知する遠隔操作通知手段を備え、
　前記遠隔操作通知手段は、前記コンピュータの遠隔操作側からの操作を、該切り替え装置に設けられた表示部により通知する第１の表示通知手段に加えて、前記コンピュータの遠隔操作側からの操作を、前記コンピュータの表示装置の表示画面により通知する第２の表示通知手段を備え、
　前記ネットワークはＩＰネットワークであり、前記切り替え装置はＩＰ−ＫＶＭスイッチであることを特徴とする切り替え装置。」
と補正されている。　
　　
　上記補正は、本件補正前の請求項１に記載した発明を特定するために必要な事項である「前記遠隔操作通知手段は、前記コンピュータの遠隔操作側からの操作を、該切り替え装置に設けられた表示部により通知する第１の表示通知手段を備え」を、「前記遠隔操作通知手段は、前記コンピュータの遠隔操作側からの操作を、該切り替え装置に設けられた表示部により通知する第１の表示通知手段に加えて、前記コンピュータの遠隔操作側からの操作を、前記コンピュータの表示装置の表示画面により通知する第２の表示通知手段を備え」とするものであり、本件補正は、特許法第１７条の２第４項第２号に規定する特許請求の範囲の減縮を目的とするものに該当するといえる。
　そこで、本件補正後の前記請求項１に記載された発明（以下、「本願補正発明」という。）が、特許出願の際独立して特許を受けることができるものであるか（特許法第１７条の２第５項において準用する同法第１２６条第５項の規定に適合するか）否かについて以下検討する。
　　
（ｂ）引用文献
　原査定の拒絶の理由に引用された特開２００５−４４１９８号公報（以下、「引用例」という。）には、図面とともに、以下のような記載がある。
（ア）「【００３１】
　また、信号処理装置１２には、例えばＬＡＮ（Local Area Network）やインターネット等の一般的なネットワーク環境に接続する機能も設けられている。従って、操作者は、ネットワーク上のパーソナルコンピュータ（以下、ＰＣという）２２等から信号処理装置１２へアクセスし、これを介してサーバ１１を遠隔操作することができる。
【００３２】
　次に、上記のような遠隔操作システム１の概略構成を図３を用いて詳細に説明する。図３に示すように、遠隔操作システム１は、サーバ１１と信号処理装置１２とＰＣ２２とを有して構成される。
【００３３】
　サーバ１１はローカルにモニタやキーボードやマウス等を接続できるように構成されている。そこで信号処理装置１２は、上述したように、これらの構成を利用してサーバ１１に接続される。すなわち、信号処理装置１２は、サーバ１１のビデオ端子やキーボードコネクタやマウスコネクタやシリアルコネクタ等にケーブルを介して接続される。
【００３４】
　尚、サーバ１１におけるビデオ端子には、ＤＶＩ（Digital Visual Interface）方式によるコネクタやＲＧＢ方式によるコネクタ等を適用することができる。換言すれば、サーバ１１と信号処理装置１２とは、ＤＶＩ方式によるディスプレイ接続インタフェースで接続されても、ＲＧＢ（Red/Green/Blue）を用いた出力画像信号方式で操作画面を出力するように接続されてもよい。また、キーボードコネクタ及びマウスコネクタには例えばＰＳ／２コネクタやＵＳＢ（Universal Serial Bus）コネクタ等を適用することができる。更にシリアルコネクタには例えばＲＳ−２３２ｃインタフェース等のコネクタを適用することができる。
【００３５】
　この他、信号処理装置１２は、モニタ１３やキーボード１４やマウス１５等の表示手段や入力手段をローカルに接続できるように構成される。すなわち、本実施例では、信号処理装置１２に対してローカルに接続されたモニタ１３やキーボード１４やマウス１５等で構成されるコンソール（以下、ローカルコンソールという）を用いて、ＧＵＩ（Graphical User Interface）環境の元、信号処理装置１２自体を入力操作することや、信号処理装置１２を介してサーバ１１を入力操作することができるように構成される。
【００３６】
　また、信号処理装置１２には、上述したように、ネットワークを介して操作者側のＰＣ２２がアクセス可能である。尚、以下の説明では、信号処理装置１２とＰＣ２２とをＨＵＢ２１を介して接続した場合、すなわちネットワークをＬＡＮ（Local Area Network）２０で構成した場合を例に挙げる。
【００３７】
　ＰＣ２２には、表示手段であるモニタ２３と、入力手段であるキーボード２４及びマウス２５とが接続されている。これら表示手段と入力手段とはＰＣ２２により制御され、操作者にＧＵＩ環境を提供する。
【００３８】
　以上の構成において、操作者は、信号処理装置１２のＩＰ（Internet Protocol）アドレス又は信号処理装置１２を一意に識別するための識別情報を用いてＰＣ２２から信号処理装置１２へアクセスし、信号処理装置１２にサーバ１１の遠隔操作を要求する。信号処理装置１２はＰＣ２２からサーバ１１の遠隔操作が要求されると、サーバ１１から出力されているビデオ信号Ｖ（但し、ＤＶＩ方式ではデジタルデータ若しくはアナログデータであり、ＲＧＢ方式ではアナログデータである）に基づいて表示画面（サーバ１１の表示画面：以下、操作画面という）のイメージデータ（例えばビットマップ形式）を生成し、これをＩＰパケット化してＬＡＮ２０へ出力する。ＰＣ２２はＬＡＮ２０を介して受信したＩＰパケットＰを解析して操作画面のイメージデータを再構成し、これをターミナルウィンドウ状にモニタ２３に表示する。尚、図４に、モニタ２３の表示画面２３１にターミナルウィンドウ状に表示された操作画面２３２の構成を示す。
【００３９】
　また、ＰＣ２２は、上記の操作画面２３２に対してキーボード２４やマウス２５等から各種入力が行われると、この際入力された操作コードをＩＰパケットＰに変換し、これを信号処理装置１２へＬＡＮ２０を介して送信する。信号処理装置１２はＰＣ２２から受信したＩＰパケットＰを解析して操作コードを再構成し、これをサーバ１１へキーボードコネクタやマウスコネクタやＵＳＢコネクタやシリアルコネクタ等から入力する。サーバ１１は、信号処理装置１２から入力された操作コードに基づいた処理を実行する。尚、操作コードとは、キーボードからキーマトリクスに基づいて発生する信号やマウスから移動量やクリックに基づいて発生する信号であり、操作情報ということもできる。
【００４０】
　以上のようにＬＡＮ２０等のネットワークを介してサーバ１１の操作画面をＰＣ２２のモニタ２３に表示し、この画面に基づいて入力された操作コードを同ネットワークを介してサーバ１１に入力するように構成することで、サーバ１１をネットワークを介して接続されたＰＣ２２から遠隔操作できる環境が実現する。」（段落【００３１】〜【００４０】）
　　　
（イ）「【００４６】
　ＤＶＩ処理部１２１は、サーバ１１のＤＶＩ端子１１１から出力されたＤＶＩ方式によるビデオ信号ＶＤを入力する。ＤＶＩ処理部１２１で入力されたデジタルのビデオ信号ＶＤは画像処理部１２４に入力される。
【００４７】
　ここで、ＤＶＩ処理部１２１から入力されたビデオ信号ＶＤをＬＡＮ２０へ出力する場合、画像処理部１２４は、ビデオ信号ＶＤに基づいて例えばビットマップ形式やＧＩＦ（Graphics Interchange Format）やＪＰＥＧ（Joint Photographic Experts Group）形式等のイメージデータを生成し、これを通信処理部１２８へ入力する。通信処理部１２８は入力されたイメージデータに基づいてＩＰパケットＰを生成し、これをＬＡＮ２０へ送出する。
【００４８】
　尚、通信処理部１２８は、ＬＡＮ２０等のネットワークとの通信を制御する構成であり、例えばＬＡＮではＭＡＣ（Media Access Control layer）やＰＨＹ（Physical Layer）等に相当し、ＵＳＢではＳＩＥ（Serial Interface Engine）等に相当し、ＲＳ−２３２ｃでは２３２ｃトランシーバに相当する構成である。
【００４９】
　また、ＤＶＩ処理部１２１から入力されたビデオ信号ＶＤをローカルに接続されたモニタ１３へ出力する場合、画像処理部１２４は、このビデオ信号ＶＤをアナログ信号（ビデオ信号ＶＡに相当：以下、アナログのビデオ信号をＶＡとする）に変換し、これをビデオ信号切替部１２３へ入力する。但し、ビデオ信号ＶＤからアナログ信号への変換は、ＲＧＢ処理部１２２で処理されるように構成しても良い。この場合の処理は次のようになる。画像処理部１２４はビデオ信号ＶＤをそのままビデオ信号切替部１２３へ入力する。ビデオ信号切替部１２３は、入力されたビデオ信号ＶＤをＲＧＢ処理部１２２へ入力する。ＲＧＢ処理部１２２はビデオ信号ＶＤをアナログ信号（ビデオ信号ＶＡ）変換に、得られたビデオ信号ＶＡをビデオ信号切替部１２３へ入力する。尚、モニタ１３がＤＶＩ方式によるモニタである場合、信号処理装置１２が、ＤＶＩ処理部１２１からのビデオ信号ＶＤを、ビデオ信号切替部１２３を介してそのままモニタ１３へ入力するように構成することもできる。
【００５０】
　このようにアナログ信号に変換されたビデオ信号ＶＡが入力されると、ビデオ信号切替部１２３は、これをローカルに接続されたモニタ１３へ出力する。これにより、ＤＶＩ端子１１１から出力されたサーバ１１の操作画面を、信号処理装置１２に対してローカルに接続されたモニタ１３に表示できる。
【００５１】
　一方、ＲＧＢ処理部１２２は、サーバ１１のＲＧＢ端子１１２から出力されたＲＧＢ方式によるビデオ信号ＶＡを入力する。ＲＧＢ処理部１２２で入力されたアナログ信号であるビデオ信号ＶＡはビデオ信号切替部１２３に入力される。
【００５２】
　ここで、ＲＧＢ処理部１２２から入力されたビデオ信号ＶＡをＬＡＮ２０へ出力する場合、ビデオ信号切替部１２３は、ビデオ信号ＶＡを画像処理部１２４へ入力する。画像処理部１２４はビデオ信号ＶＡをデジタル信号（ビデオ信号ＶＤに相当：以下、デジタルのビデオ信号をＶＤとする）に変換し、これに基づいて例えばビットマップ形式やＧＩＦ（Graphics Interchange Format）やＪＰＥＧ（Joint Photographic Experts Group）形式等のイメージデータを生成する。尚、生成したイメージデータは、上述と同様に、通信処理部１２８に入力され、通信処理部１２８においてＩＰパケットＰに変換された後、ＬＡＮ２０へ送出される。
【００５３】
　また、ＲＧＢ処理部１２２から入力されたビデオ信号ＶＡをローカルに接続されたモニタ１３へ出力する場合、ビデオ信号切替部１２３は、このビデオ信号ＶＡをそのままモニタ１３へ入力する。これにより、ＲＧＢ端子１１２から出力されたサーバ１１の操作画面を信号処理装置１２に対してローカルに接続されたモニタ１３に表示できる。
【００５４】
　尚、以上の２種類のディスプレイ接続インタフェースにおいて何れを使用するかは、信号処理装置１２に設けられたＤＩＰ（Dual Inline Package）スイッチ１２−１又は何れの端子（ＤＶＩ端子１１１，ＲＧＢ端子１１２）が接続されているかに基づいて適宜選択される。尚、ＤＩＰスイッチ１２−１は、信号処理装置１２の各種設定を行うためのスイッチである。各種設定としては、上記の他、例えば通信機能におけるＩＰｖ４固定とＩＰｖ６有効との切替えや、ＰｎＰ（Plug and Play）やＤＨＣＰ（Dynamic Host Configuration Protocol）自動割り当て処理のＯＮ／ＯＦＦや、のＨａｌｆ−Ｄｕｐｌｅｘ（半二重通信）とＦｕｌｌ−Ｄｕｐｌｅｘ（全二重通信）との選択や、回線自動判別機能（オートネゴシエーション）のＯＮ／ＯＦＦや、動作モードの設定等が挙げられる。」（段落【００４６】〜【００５４】）
　　
（ウ）「【００５７】
　また、信号処理装置１２には、キーボード及び／又はマウスが直接接続された状況をサーバ１１に擬似的に提供するために、Ｋ／Ｍ処理部１２５が設けられる。Ｋ／Ｍ処理部１２５は、ローカルＫ／Ｍ処理部１２６を介して入力された操作コードをサーバ１１のＫ／Ｍポート（キーボードコネクタ及びマウスコネクタに相当）１１３に入力する。
【００５８】
　また、Ｋ／Ｍ処理部１２５は、信号処理装置１２にローカルに接続されたキーボード１４やマウス１５から入力された操作コードをそのままサーバ１１のＫ／Ｍポート１１３に入力する。尚、ローカルＫ／Ｍ処理部１２６を介して入力された操作コードとは、ＬＡＮ２０から受信したＰＣ２２の操作コードである。
【００５９】
　更に、上述したように、Ｋ／Ｍ処理部１２５はサーバ１１にキーボード及び／又はマウスが直接接続された状況を提供するための構成であるため、サーバ１１側から提供された電力で動作するように構成することが好ましい。また、信号処理装置１２における他の構成は、電源部１２−２からの電力に基づいて動作する。
【００６０】
　ローカルＫ／Ｍ処理部１２６は、主として信号処理装置１２をローカルに接続されたキーボード１４及びマウス１５を用いて入力操作する際に機能する。より詳細には、キーボード１４又はマウス１５から所定のキー操作（例えばファンクションキーや専用キー等）に基づく操作コードが入力されると、ローカルＫ／Ｍ処理部１２６は、この操作コードを制御部１２７に入力する。制御部１２７は、このように所定のキー操作による操作コードが入力されると、図示しないＲＯＭ（Read Only Memory）等に予め格納しておいた所定のルーチンを読み出し、信号処理装置１２を入力操作するための環境をローカルの操作者に提供する。
【００６１】
　これを実現するために、制御部１２７は、次の処理を実行する。制御部１２７は、所定のキー操作が入力されると、これをトリガとして上記した所定のルーチンを読み出す。制御部１２７は、このルーチンに従って信号処理装置１２を入力操作するための画面（ＯＳＤ（On Screen Display）等：以下、これをコンソール画面という）を生成し、これを画像処理部１２４に入力する。画像処理部１２４は、入力されたコンソール画面に基づいてアナログのビデオ信号ＶＣを生成し、これをビデオ信号切替部１２３に入力する。この際、図６に示すように、画像処理部１２４は、コンソール画面１３２を操作画面１３１に対してポップアップウィンドウ状に表示するためのビデオ信号ＶＣを生成する。ビデオ信号切替部１２３は、コンソール画面１３２が前面に表示されるように、画像処理部１２４から入力されたビデオ信号ＶＣを操作画面１３１のビデオ信号ＶＡに重畳し、これをモニタ１３へ出力する。これにより、信号処理装置１２を入力操作するためのコンソール画面１３２がローカルに接続されたモニタ１３にオーバレイされて表示される。尚、図６は、モニタ１３に表示されるサーバ１１の操作画面１３１であって、これにコンソール画面１３２がオーバレイされた状態を示している。
【００６２】
　また、ローカルＫ／Ｍ処理部１２６は、モニタ１３に表示されたコンソール画面１３２に対してキーボード１４やマウス１５から入力された操作コードを制御部１２７に入力する。制御部１２７は、このように入力された操作コードに基づいて各種設定及び処理を実行する。これにより、信号処理装置１２自体を入力操作するための環境が実現できる。
【００６３】
　また、ローカルＫ／Ｍ処理部１２６には、ＬＡＮ２０を介して入力されたＰＣ２２の操作コードも入力される。より詳細には、通信処理部１２８はＬＡＮ２０を介してＰＣ２２から送信されたＩＰパケットＰを受信し、これを解析して操作コードを再構築する。再構築された操作コードは、制御部１２７を介してローカルＫ／Ｍ処理部１２６に入力される。ローカルＫ／Ｍ処理部１２６は入力された操作コードをそのままＫ／Ｍ処理部１２５に入力する。Ｋ／Ｍ処理部１２５は、入力された操作コードをサーバ１１のＫ／Ｍポート１１３に入力する。これにより、サーバ１１を遠隔に入力操作するための環境がＰＣ２２側の操作者に提供できる。」（段落【００５７】〜【００６３】）
　　　
　以上の記載によれば、この引用例には以下のような発明（以下、「引用発明」という。）が開示されていると認められる。
「サーバ１１と信号処理装置１２とＰＣ２２とを有して構成される遠隔操作システム１において、
　ＰＣ２２は、キーボード２４やマウス２５等から各種入力が行われると、入力された操作コードをＩＰパケットに変換し、ＬＡＮ２０を介して送信し、
　信号処理装置１２において、通信処理部１２８はＬＡＮ２０を介してＰＣ２２から送信されたＩＰパケットＰを受信し、これを解析して操作コードを再構築し、再構築された操作コードは、制御部１２７を介してローカルＫ／Ｍ処理部１２６に入力され、Ｋ／Ｍ処理部１２５は、入力された操作コードをサーバ１１のＫ／Ｍポート１１３に入力し、
　また、Ｋ／Ｍ処理部１２５は、ローカルに接続されたキーボード１４やマウス１５から入力された操作コードをそのままサーバ１１のＫ／Ｍポート１１３に入力し、
　ＤＶＩ処理部１２１は、サーバ１１のＤＶＩ端子１１１から出力されたＤＶＩ方式によるビデオ信号ＶＤを入力し、入力されたデジタルのビデオ信号ＶＤは画像処理部１２４に入力され、
　ＤＶＩ処理部１２１から入力されたビデオ信号ＶＤをＬＡＮ２０へ出力する場合、画像処理部１２４は、ビデオ信号ＶＤに基づいて例えばビットマップ形式やＧＩＦ（Graphics Interchange Format）やＪＰＥＧ（Joint Photographic Experts Group）形式等のイメージデータを生成し、通信処理部１２８は入力されたイメージデータに基づいてＩＰパケットＰを生成しＬＡＮ２０へ送出し、
　ＤＶＩ処理部１２１から入力されたビデオ信号ＶＤをローカルに接続されたモニタ１３へ出力する場合、画像処理部１２４は、このビデオ信号ＶＤをアナログ信号（ビデオ信号ＶＡに相当：以下、アナログのビデオ信号をＶＡとする）に変換し、これをビデオ信号切替部１２３へ入力し、ビデオ信号切替部１２３は、これをローカルに接続されたモニタ１３へ出力し、ＤＶＩ端子１１１から出力されたサーバ１１の操作画面を、信号処理装置１２に対してローカルに接続されたモニタ１３に表示でき、
　ＲＧＢ処理部１２２は、サーバ１１のＲＧＢ端子１１２から出力されたＲＧＢ方式によるビデオ信号ＶＡを入力し、入力されたアナログ信号であるビデオ信号ＶＡはビデオ信号切替部１２３に入力され、
　ＲＧＢ処理部１２２から入力されたビデオ信号ＶＡをＬＡＮ２０へ出力する場合、ビデオ信号切替部１２３は、ビデオ信号ＶＡを画像処理部１２４へ入力し、ビデオ信号ＶＡをデジタル信号（ビデオ信号ＶＤに相当）に変換し、これに基づいて例えばビットマップ形式やＧＩＦ（Graphics Interchange Format）やＪＰＥＧ（Joint Photographic Experts Group）形式等のイメージデータを生成し、生成したイメージデータは、通信処理部１２８に入力され、通信処理部１２８においてＩＰパケットＰに変換された後、ＬＡＮ２０へ送出され、
　ＲＧＢ処理部１２２から入力されたビデオ信号ＶＡをローカルに接続されたモニタ１３へ出力する場合、ビデオ信号切替部１２３は、このビデオ信号ＶＡをそのままモニタ１３へ入力し、ＲＧＢ端子１１２から出力されたサーバ１１の操作画面を信号処理装置１２に対してローカルに接続されたモニタ１３に表示でき、
　上記２種類のディスプレイ接続インタフェースにおいて何れを使用するかは、信号処理装置１２に設けられたＤＩＰ（Dual Inline Package）スイッチ１２−１又は何れの端子（ＤＶＩ端子１１１，ＲＧＢ端子１１２）が接続されているかに基づいて適宜選択することにより行われ、
　ＬＡＮ２０等のネットワークを介してサーバ１１の操作画面をＰＣ２２のモニタ２３に表示し、この画面に基づいて入力された操作コードを同ネットワークを介してサーバ１１に入力するように構成することで、サーバ１１をネットワークを介して接続されたＰＣ２２から遠隔操作できる環境を実現する信号処理装置１２。」　
　　　
（ｃ）対　比
  本願補正発明と引用発明とを対比する。
（１）引用発明の「サーバ１１」は、ＰＣ２２からネットワークを介して遠隔操作されるコンピュータであるから、本願補正発明の「ローカル側に設けられたコンピュータ」に相当する。
（２）引用発明の「ＰＣ２２」は、サーバ１１を遠隔操作しているから、本願補正発明の「遠隔操作側」に相当するといえる。
（３）引用発明の「ＬＡＮ２０」は、ＩＰパケットを用いて通信するから、本願補正発明の「ＩＰネットワーク」に相当する。
（４）引用発明の「信号処理装置１２」は、サーバ１１をネットワーク（ＬＡＮ２０）を介して接続されたＰＣ２２から遠隔操作できる環境を実現するから、本願補正発明の「ローカル側に設けられたコンピュータを、ネットワークを介して遠隔操作側から操作可能とする切り替え装置」に相当する。
（５）引用発明の「信号処理装置１２」は、ローカルに接続されたキーボード１４やマウス１５から入力された操作コードをそのままサーバ１１のＫ／Ｍポート１１３に入力する場合とＰＣ２２においてキーボード２４やマウス２５で入力された操作コードをサーバ１１のＫ／Ｍポート１１３に入力する場合とを切り替え、ビデオ信号ＶＤ，ＶＡをローカルに接続されたモニタ１３へ出力する場合とビデオ信号ＶＤ，ＶＡをＩＰパケットＰに変換してＬＡＮ２０へ送出する場合とを切り替えているから、本願補正発明の「ＩＰ―ＫＶＭスイッチ」と「ＫＶＭ信号を切り替える装置」である点で共通するといえる。
　　
　そうすると、本願補正発明の用語を用いると両者は、
「ローカル側に設けられたコンピュータを、ネットワークを介して遠隔操作側から操作可能とする切り替え装置であって、
　前記ネットワークはＩＰネットワークであり、前記切り替え装置はＫＶＭ信号を切り替える装置であることを特徴とする切り替え装置。」
で一致するものであり、次の（１）、（２）の点で相違している。
　　
（１）本願補正発明は、「前記コンピュータが前記遠隔操作側から操作されているとき、該コンピュータの遠隔操作側からの操作を当該コンピュータが設けられた前記ローカル側に通知する遠隔操作通知手段を備え、前記遠隔操作通知手段は、前記コンピュータの遠隔操作側からの操作を、該切り替え装置に設けられた表示部により通知する第１の表示通知手段に加えて、前記コンピュータの遠隔操作側からの操作を、前記コンピュータの表示装置の表示画面により通知する第２の表示通知手段を備え」ているのに対し、引用発明は、ＰＣ１１側からの操作をサーバ１１が設けられたローカル側に通知する遠隔操作通知手段について記載がない点。
　
（２）本願補正発明は、切り替え装置は、「ＩＰ―ＫＶＭスイッチ」であるのに対し、引用発明は、「信号処理装置１２」が「ＩＰ―ＫＶＭスイッチ」であることは記載されていない点。
　　
（ｄ）当審の判断
・相違点（１）について
　遠隔操作システムにおいて、遠隔操作側からの操作をローカル側（操作される側）に設けられた表示部により通知する表示通知手段を備えることは、本願出願前周知（例えば、特表２００２−５２５７５０号公報、段落【００８６】「さらに、このカードはＫＥＹ−ＶＩＥＷ　ＰＣの前面にある状態ライト（通常ターボライト）の一つを制御するために用いることができ、誰かがＫＥＹ−ＶＩＥＷ　ＰＣにリモートアクセスしているときには、それをホストサイトにおいて視覚的に知ることができる（すなわち、ライトが点灯する）。」、段落【０６２７】「ＫＥＹ−ＶＩＥＷのＰＣが遠隔でアクセスされた時には、ＬＥＤは一瞬強い光を発する。より具体的には、ＫＥＹ−ＶＩＥＷが遠隔でアクセスされ（すなわち、pcAnywhereが“動作中”の場合）、かつ、メニューモードにある時には常に、ターボライトは５秒毎に０．５秒間強い光を発し、残りの時間は消灯されている。また、もしpcAnywhereが“動作中”で、かつ、ＫＥＹ−ＶＩＥＷ　ＰＣがホストモードにあるときには、ＫＥＹ−ＶＩＥＷ　ＰＣのターボライトは５秒間消灯され、残りの時間は点灯されている。」の記載、特開２００２−２８８０６７号公報、段落【００２１】「利用者ＰＣ１１において、処理部１２は遠隔操作への対応処理、変更履歴更新処理等を行う。通信部１３は担当者ＰＣ２２への接続、確認応答、・・・中略・・・表示部１５は遠隔操作表示、確認メッセージ表示等を行う。」の記載、特開２００１−７５６２６号公報、段落【００１８】「遠隔操作用コンピュータ１３からキー入力すると操作用コンピュータ４でキー入力が発生し、・・・中略・・・さらに遠隔操作中の画面は操作用コンピュータ４に表示されるので、生産設備側で遠隔操作の内容を確認できる。」の記載、特開２００４−１３５０４０号公報、段落【００７２】「図１２において、第１の実施例と異なるところは、現在遠隔制御を行っていることを報せるための遠隔制御中表示手段１２０１を設けた点である。遠隔制御中表示手段１２０１には、ＬＥＤを用いることでこの構成を容易に実現できる。」の記載、特開２００２−３５５２４４号公報、段落【００３７】「外部機器から通信制御部８を介して遠隔操作される場合に、図５に示すように、メッセージ表示部１０は外部機器から通信制御部８を介して入力する情報により遠隔操作中である旨の警告メッセージを表示し」の記載参照）である。
　そして、遠隔操作側コンピュータからの操作をローカル側（操作される側）に設けられた表示部により通知するのに、切り替え装置に設けられた表示部、操作されるコンピュータの表示装置の表示画面のどちらか一方で通知するか、あるいはその両方により通知するかは、当業者が必要に応じて適宜なし得る設計事項にすぎない。
　したがって、引用発明において、上記周知技術を適用し、コンピュータが前記遠隔操作側から操作されているとき、該コンピュータの遠隔操作側からの操作を当該コンピュータが設けられた前記ローカル側に通知する遠隔操作通知手段を備え、前記遠隔操作通知手段は、前記コンピュータの遠隔操作側からの操作を、切り替え装置に設けられた表示部により通知する表示通知手段に加えて、前記コンピュータの遠隔操作側からの操作を、前記コンピュータの表示装置の表示画面により通知する表示通知手段を備えるようにすることは、当業者が容易になし得ることである。
　
・相違点（２）について
　本願補正発明の「ＩＰ−ＫＶＭスイッチ」は、その構成が必ずしも明確ではないので、本願明細書の発明の詳細な説明を参照すると、「ＩＰ−ＫＶＭスイッチ１は、信号相互変換回路１１、ビデオ信号Ａ／Ｄ変換回路１２、および、ＫＭ信号化回路１３を備えている。ビデオ信号Ａ／Ｄ変換回路１２は、ローカル側コンピュータ２のコンピュータ本体２１からのビデオモニタ信号（Ｖ信号）を、そのまま通過させてローカル側コンピュータ２のビデオモニタ２３に供給すると共に、Ａ／Ｄ変換を行ってディジタル化されたＶ信号を信号相互変換回路１１に出力する。また、ＫＭ信号化回路１３は、ローカル側コンピュータ２のキーボード２２からのキーボード信号（Ｋ信号）およびマウス２４からのマウス信号（Ｍ信号）、並びに、信号相互変換回路１１からのＫ信号およびＭ信号（すなわち、ネットワークを介した遠隔操作側コンピュータ３のキーボード３２からのＫ信号およびマウス３４からのＭ信号）を選択してローカル側コンピュータ２のコンピュータ本体２１に供給する。さらに、信号相互変換回路１１は、例えば、ＬＡＮ４２のEthernet（登録商標）信号等のＬＡＮ信号とＫＶＭ信号との相互変換を行う。」（段落【００１０】、【００１１】）と記載されている。
　そうすると、引用発明の信号処理回路１２における「ビデオ信号切替部１２３」、「通信処理部１２８」は、それぞれ上記「ビデオ信号Ａ／Ｄ変換回路１２」、「信号相互変換回路１１」に相当し、引用発明の信号処理回路１２における「ローカルＫ／Ｍ処理部１２６」及び「Ｋ／Ｍ処理部１２５」は、上記「ＫＭ信号化回路１３」に相当し、「操作者は、信号処理装置１２のＩＰ（Internet Protocol）アドレス又は信号処理装置１２を一意に識別するための識別情報を用いてＰＣ２２から信号処理装置１２へアクセスし」（引用例、段落【００３８】）、ＰＣ２２と信号処理装置１２はＩＰパケットで通信しているから、引用発明の「信号処理装置１２」は、本願補正発明の「ＩＰ−ＫＶＭスイッチ」に相当するといえ、この点は実質的な相違点とは認められない。
　なお、本願出願前にＩＰ−ＫＶＭスイッチは周知（例えば、特表２００３−５３４６８５号公報、国際公開第２００４／０３２３５６号参照。）であり、引用発明の信号処理回路１２をＩＰ−ＫＶＭスイッチとすることも容易になし得ることである。　　　
　　
　本願補正発明により奏される効果は、引用発明及び周知技術から、当業者が予想し得る範囲内のものと認められる。
　
（ｅ）結論
　そうすると、本願補正発明は、引用発明及び周知技術に基づいて当業者が容易に発明をすることができたものであるから、特許法第２９条第２項の規定により、特許出願の際独立して特許を受けることができないものである。
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
 　
第３　本願発明
　上記のとおり、上記本件補正は却下されたので、本願請求項１に係る発明（以下、「本願発明」という。）は、平成２２年１２月１４日に提出された手続補正書における特許請求の範囲の請求項１に記載された事項により特定される、以下のとおりのものである。
「ローカル側に設けられたコンピュータを、ネットワークを介して遠隔操作側から操作可能とする切り替え装置であって、
　前記コンピュータが前記遠隔操作側から操作されているとき、該コンピュータの遠隔操作側からの操作を当該コンピュータが設けられた前記ローカル側に通知する遠隔操作通知手段を備え、
　前記遠隔操作通知手段は、前記コンピュータの遠隔操作側からの操作を、該切り替え装置に設けられた表示部により通知する第１の表示通知手段を備え、
　前記ネットワークはＩＰネットワークであり、前記切り替え装置はＩＰ−ＫＶＭスイッチであることを特徴とする切り替え装置。」
　
第４　引用例
　原査定の拒絶理由に引用された引用例及びその記載事項は、前記「第２　（２）（ｂ）」に記載したとおりである。
　
第５　対比・判断
　本願発明は、前記「第２」で検討した本願補正発明の「前記遠隔操作通知手段は、前記コンピュータの遠隔操作側からの操作を、該切り替え装置に設けられた表示部により通知する第１の表示通知手段に加えて、前記コンピュータの遠隔操作側からの操作を、前記コンピュータの表示装置の表示画面により通知する第２の表示通知手段を備え」を、「前記遠隔操作通知手段は、前記コンピュータの遠隔操作側からの操作を、該切り替え装置に設けられた表示部により通知する第１の表示通知手段を備え」とするものである。
　そうすると、本願発明の構成要件を全て含み、さらに限定したものに相当する本願補正発明が前記「第２」に記載したとおり、引用発明及び周知技術に基づいて、当業者が容易に発明をすることができたものであるから、本願発明も同様の理由により、引用発明及び周知技術に基づいて、当業者が容易に発明をすることができたものである。
　　
第６　むすび
　以上のとおり、本願発明は、引用発明及び周知技術に基づいて当業者が容易に発明をすることができたものであるから、特許法第２９条第２項の規定により、特許を受けることができない。
　したがって、本願は、その余の請求項について論及するまでもなく拒絶すべきものである。
　よって、結論のとおり審決する。